(57)【要約】【課題】引き下げる際に、レッグ開口部の開口周縁部が、着用者の脚部（特に大腿部）に引っ掛かりにくく、装着性に優れると共に、該開口周縁部のめくれや、吸収性パッドの露出が生じにくいパッドホルダーを提供すること。【解決手段】伸縮性シートを含んで形成され、ウエスト開口部及び一対のレッグ開口部を有し、股下部の肌対向面上に吸収性パッドを配して着用される、伸縮性を有するパンツ型のパッドホルダーであって、前記レッグ開口部の開口周縁部の８０％伸長１０分後の応力緩和率が、３０〜６０％である。【選択図】図１
2011092601.tif 000002
【特許請求の範囲】
【請求項１】
ウエスト開口部及び一対のレッグ開口部を有し、股下部の肌対向面上に吸収性パッドを配して着用される、伸縮性を有するパンツ型のパッドホルダーであって、
前記レッグ開口部の開口周縁部の８０％伸長１０分後の応力緩和率が、３０〜６０％である、パッドホルダー。
【請求項２】
前記レッグ開口部の開口周縁部は、エラストマー材料を含まない編地からなる、請求項１記載のパッドホルダー。
【請求項３】
前身頃の左右両側に、伸長抑制部が、それぞれ、前身頃下半部の幅方向中央側から前身頃上半部の側部に亘って形成されている、請求項１又は２記載のパッドホルダー。
【請求項４】
前身頃のパッドホルダーの横方向における、左右の前記伸長抑制部それぞれの外方に、大腿伸縮部と、パッドホルダーの横方向に延びる大腿伸長抑制部を有している、請求項３記載のパッドホルダー。
【請求項５】
前記大腿伸長抑制部が、後身頃側に延出している請求項４記載のパッドホルダー。
【請求項６】
後身頃の左右両側に、それぞれ、後身頃下半部の幅方向中央側から後身頃上半部の側部に亘って背側伸長抑制部が形成されており、前記大腿伸長抑制部は、前身頃の前記伸長抑制部から前記背側伸長抑制部に亘って形成されている、請求項５記載のパッドホルダー。
【請求項７】
前記前身頃の左右の前記伸長抑制部間も伸縮性を有しており、左右の大腿伸長抑制部間に中央伸長抑制部が形成されている、請求項３〜６の何れかに記載のパッドホルダー。
【請求項８】
前身頃の左右の前記伸長抑制部間も伸縮性を有しており、股下部における左右の伸長抑制部間に、パッドホルダーの横方向に延びる股下伸長抑制部が形成されており、該股下伸長抑制部は、パッドホルダーの横方向において、該伸長抑制部と前身頃の端部との間の中央部に達しないように形成されている請求項３〜７の何れかに記載のパッドホルダー。
【発明の詳細な説明】
【技術分野】
【０００１】
本発明は、吸収性パッドと併用されるパッドホルダーに関する。
【背景技術】
【０００２】
従来、パッドホルダーの股下部の肌対向面上に吸収性パッドを取り付けた状態で該パッドホルダーを着用し、吸収性パッドが液を吸収した後に、吸収性パッドのみを新品と交換する一方、パッドホルダーは再利用することが行われている。斯かるパッドホルダーは、吸収性パッドを着用者の股間部にフィットした状態に保持するものであり、パッドホルダーを吸収性パッドと組み合わせて使用することにより、ゴミの量やコストの削減を図ることができる。
【０００３】
従来のパッドホルダーとして、伸縮性シートから形成され、ウエスト開口部及び一対のレッグ開口部を有し、股下部の肌対向面上に吸収性パッドを配して着用されるパッドホルダーが知られている。特にボクサーブリーフ型のパッドホルダー、即ち、着用時においてレッグ開口部の開口周縁部が股下部より下方に位置するタイプのパッドホルダーが広く普及しているが、このようなボクサーブリーフ型のパッドホルダーにおいては、該パッドホルダーの股下部に取り付けられた吸収性パッドの外部へのはみ出しを防止する目的で、一対のレッグ開口部それぞれの開口周縁部にレッグ部弾性部材が配されて太腿ギャザーが形成されており、該太腿ギャザーが着用者の太腿部を締め付けるようになされている（例えば特許文献１参照）。
【０００４】
また、先に出願人は、レッグ開口部の開口周縁部に沿って形成されたギャザーと着用者のそけい部に沿って形成されたギャザーとを形成したパッドホルダーを提案した（特許文献２参照）。
【先行技術文献】
【特許文献】
【０００５】
【特許文献１】特開２００２−６６０号公報
【特許文献２】特開２００８−２８４０３８号公報
【発明の開示】
【発明が解決しようとする課題】
【０００６】
特許文献１に開示されるような従来のボクサーブリーフ型のパッドホルダーは、着用者の大腿部を締め付ける大腿ギャザーがレッグ開口部の開口周縁部に存在することによって、ホルダーを引き下げる際に、該レッグ開口部の開口周縁部が着用者の脚部、特に大腿部に引っ掛かり、ホルダーの全体を適正な位置まで引き下げるのに、引っ掛かった部分を摘み直す必要があるなど手間や時間を要した。このような問題は、特にパッドホルダーを伸びやすい材料を用いて形成した場合に顕著であった。特許文献２の場合も、特に伸びやすい材料を用いて形成した場合、同様の問題が生じた。
他方、レッグ開口部の開口周縁部に大腿部を締め付けるギャザー等を形成しなければ、引き下げ性は向上するが、使用中に開口周縁部がめくれたり、吸収性パッドが外部に露出し防漏性が低下する恐れがある。
【０００７】
従って、本発明は、引き下げる際に、レッグ開口部の開口周縁部が、着用者の脚部（特に大腿部）に引っ掛かりにくく、装着性に優れると共に、該開口周縁部のめくれや、吸収性パッドの露出が生じにくいパッドホルダーに関する。
【課題を解決するための手段】
【０００８】
本発明は、伸縮性シートを含んで形成され、ウエスト開口部及び一対のレッグ開口部を有し、股下部の肌対向面上に吸収性パッドを配して着用される、伸縮性を有するパンツ型のパッドホルダーであって、前記レッグ開口部の開口周縁部の８０％伸長１０分後の応力緩和率が、３０〜６０％である、パッドホルダーを提供するものである。
【発明の効果】
【０００９】
本発明のパッドホルダーは、引き下げる際に、レッグ開口部の開口周縁部が、着用者の脚部（特に大腿部）に引っ掛かりにくく、装着性に優れると共に、該開口周縁部のめくれや、吸収性パッドの露出が生じにくい。
【図面の簡単な説明】
【００１０】
【図１】本発明のパッドホルダーの一実施形態を、前身頃と後身頃の肌対向面同士を面接させて平面状とした状態（自然状態）を、前身頃側から見た正面図である。
【図２】図１に示すパッドホルダーの使用状態（着用状態）を前身頃側から見た図である。
【図３】図１に示すパッドホルダーを、前身頃と後身頃の肌対向面同士を面接させて平面状とした状態（自然状態）を、後身頃側から見た背面図である。
【図４】図１に示すパッドホルダーの使用状態（着用状態）を側方から見た図である。
【図５】応力緩和率の測定方法の説明図である。
【発明を実施するための形態】
【００１１】
以下、本発明のパッドホルダーを、その好ましい実施形態に基づき図面を参照して説明する。
本実施形態のパッドホルダー１は、図１（自然状態）に示すように、パンツ型の形態を有し、ウエスト開口部５及び一対のレッグ開口部６，６を有している。
また、パッドホルダー１は、パッドホルダー１の着用時に着用者の腹側に配される前身頃２と、パッドホルダー１の着用時に着用者の背側に配される後身頃３とを有している。
【００１２】
パッドホルダー１は、股下部４の肌対向面（パッドホルダー着用時に着用者の肌側に向けられる面）側に、図２に示すように、吸収性パッド７が配された状態で着用される。股下部４は、着用時に着用者の股間部に配される部分である。吸収性パッド７は、一般に、液透過性の表面シート、液不透過性又は撥水性の裏面シート及びこれら両シート間に挟持固定された吸収性コアを備えている。吸収性パッド７は、前記裏面シート側の面に、パッドホルダー１に固定するための固定手段（粘着部等）を有するものでも有しないものであっても良い。
パッドホルダー１は、図１に示すように、おむつ縦方向に延びる縦中心線ＣＬに対して左右対称に形成されている。
【００１３】
ウエスト開口部５は、着用者のウエスト部分が挿通される部分であり、その開口周縁部には、ウエスト開口弾性部５１が環状に形成されている。また、一対のレッグ開口部６，６は、着用者の脚が挿通される部分であり、それぞれの開口周縁部には、レッグ開口弾性部６１が環状に形成されている。
【００１４】
本発明のパッドホルダーは伸縮性部材を含んで構成されている。より具体的には、パッドホルダーのほぼ全体が伸縮性シートで構成されている。パッドホルダーの伸縮性は、少なくともホルダーの幅方向（胴回り方向に沿う方向）に発現する。パッドホルダーの縦方向（ウエスト開口部から股下部に向かう方向）においては伸縮性を有する必要はなく、伸長性を発現すれば良い。しかし、縦方向の伸縮性（特に臀部〜背側腰部）を有することで、歩行や立ち座り等の動きによる臀部近傍の皮膚の伸びにホルダーが追従し易くなり、ズレ落ちの発生を抑制し易くなるので好ましい。また、腹部（特に高齢者の多重腹）や臀部等の凹凸のある複雑形状に沿うことが容易となり、フィット性が良好となる点からも好ましい。
【００１５】
本実施形態におけるレッグ開口部６の開口周縁部は、８０％伸長１０分後の応力緩和率（以下、伸長後応力緩和率ともいう）が３０〜６０％であることが好ましく、より好ましくは３５〜５５％である。
本発明では、パッドホルダーを引き上げて装着する際に、レッグ開口部６の開口周縁部が、脚によって拡げられた後に時間の経過とともにどの程度収縮するかの指標として、前記伸長後応力緩和率を用いている。
前記伸長後応力緩和率が３０％以上であると、パッドホルダーのレッグ開口部６の開口周縁部が着用者の大腿部を過度に締付けることが無く、低刺激の装着感が達成される。更には、引下げ時に、レッグ開口部６の開口周縁部が大腿部に引っかかることなく容易に引き下げることが出来るために、トイレ排泄時等の急を要する場合でも容易かつ短時間でパッドホルダーを下ろすことができる。  前記伸長後応力緩和率が６０％以下であると、着用者動作時にパッドホルダーのレッグ開口部６の開口周縁部が着用者の大腿部に沿い、吸収性パッドが外部に露出し防漏性が低下することを防ぐことができる。また、不規則な弛みの発生を抑制することで外衣に響くことを防止し、着用時のシルエットを悪化させることを防止することができる。
【００１６】
前記伸長後応力緩和率は、前身頃２と後身頃３の肌対向面同士を面接させて平面状の自然状態としたときにホルダーの股下部４に生じる折曲線１ｂの最も上（ウエスト開口部側）に位置する最上位点６２よりも下方に延出する脚廻り部分６３を、環状のまま切り出し、それを、試験体８とする。試験体８は、前身頃及び後身頃の何れの側についても、その幅Ｗが、縦中心線ＣＬ寄りの部位における、前記最上位点６２から脚廻り部分６３の下端までの距離（縦中心線ＣＬに沿って測定）Ｌ１と同じになるように切り出す。
【００１７】
前記距離Ｌ１は、１０〜１３０ｍｍであることが好ましく、より好ましくは２０〜１００ｍｍ、更に好ましくは３０〜７０ｍｍである。
【００１８】
前記伸長後応力緩和率の測定は、ＪＩＳ  Ｌ  １０９６に規定される応力緩和率〔Ａ法（１回荷重法）〕に準拠して測定する。
但し、試験体８は、図５に示すように、試験体８の環の内側に、２枚のコ字状の第１治具８１を通し、それらを引張試験機に固定する。図５中、符号８２は、サンプル固定用のチャックであり、符号８３は、引張試験機本体接続部である。試験体８は、初期長Ｌ０が、パッドホルダーにおける脚廻り自然長Ｌ（図１参照）と同じとなるように引張試験機にセットする。そして、一方の第１治具８１を移動させ、試験体８を、３００ｍｍ／分の引張速度で伸長率８０％まで伸長させる。伸長率８０％は、試験体８を初期長Ｌ０（自然長Ｌに同じ）の８０％の長さ分伸長させることを意味し、伸長後の長さＬＥは初期長Ｌ０の１．８０倍である。
そして、伸長率８０％迄伸長させた直後の荷重（Ｐ１）と、伸長率８０％迄伸長させた後１０分放置した後の荷重（Ｐ２）から、次式に従い、前記伸長後応力緩和率（％）を求める。
伸長後応力緩和率（％）＝｛（Ｐ１−Ｐ２）／Ｐ１｝×１００
【００１９】
本実施形態のパッドホルダー１においては、レッグ開口部６の開口周縁部の伸長後応力緩和率が前記特定の範囲となるように、レッグ開口弾性部６１を形成する部分の編み方を他の部分の編地とは異ならせて鹿の子編み（平編みとタック編みを交互に行う編み方）とし、しかもその編地を折り返し多層として前記レッグ開口弾性部６１を形成している。折り返した部分は、折り返した端部がホルダー内面及び外面の何れに固定されていても良い。また、前記脚廻り部分６３、特にレッグ開口弾性部６１を形成する部分は、エラストマー材料を含まない編地からなることが好ましい。ここで、エラストマー材料とは、素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材を挙げることができ、形態としては、断面が矩形、正方形、円形、多角形状、マルチフィラメントタイプ等の、糸状や紐状のもの、或いは帯状、フィルム状のもの等を挙げることができる。
【００２０】
レッグ開口部６の開口周縁部の伸長後応力緩和率を前記特定の範囲とする方法としては、本実施形態と異なる方法を用いても良いことは勿論であり、例えば、伸長後応力緩和率が２０〜６０％、好ましくは３０〜５０％のエラストマー材料を、編地、織布、不織布等に伸長状態で配置する方法、或いは、前記エラストマー材料を、編地、伸長不織布等に未伸長状態で配置する方法、レッグ開口弾性部６１を形成する部分の編み方を他の部分の編地とは異ならせて鹿の子編みとし、折り返すことなく単層のままで前記レッグ開口弾性部６１を形成する方法等が挙げられる。
【００２１】
本実施形態ウエスト開口弾性部５１は、レッグ開口弾性部６１と同様に伸縮性シートを折り返し、その端部をホルダー内面（又は外面）に固定することにより形成されている。ウエスト開口弾性部５１は、それぞれ、別の弾性部材、例えば、ポリウレタン繊維を含む伸縮性織布や不織布、合成ゴムシート、天然ゴムシート等を取り付けて形成することもできる。また、レッグ開口弾性部６１とウエスト開口弾性部５１とで構成が同じでも良く、異なっていても良い。
ウエスト開口弾性部５１の存在によって、ウエスト開口部５の開口周縁部は、パッドホルダー１の着用時に、その直ぐ下に存する伸縮性シートのみからなる環状部分に比して強く着用者を締め付けることができる。同様に、レッグ開口部６，６それぞれの開口周縁部は、各レッグ開口部６における該開口周縁部より直ぐ上に存在する環状部分に比してやや強く着用者を締め付けることができる。
【００２２】
本実施形態のパッドホルダー１は、前身頃２の左右両側に存在する、着用者の大腿部を被覆する部分Ａ，Ａが、パッドホルダーの横方向（Ｘ方向）に伸縮性を有している。そして、左右両側の該部分Ａ，Ａのそれぞれに、大腿伸縮部２０，２０・・と、パッドホルダーの横方向に延びる大腿伸長抑制部２３〜２５を有している。
着用者の大腿部を被覆する部分Ａ，Ａは、おむつ縦方向に延びる縦中心線ＣＬの両側に、該縦中心線ＣＬから離間して存在する部分であり、ウエスト開口部５及びレッグ開口部６それぞれの開口周縁部を含まない。本実施形態のパッドホルダー１におけるレッグ開口弾性部６１は、本発明における大腿伸長抑制部に該当しない。
【００２３】
本実施形態のパッドホルダー１の前身頃２には、図１に示すように、左右一対の伸長抑制部２１，２２が、それぞれ、前身頃下半部２Ｄの幅方向中央側から前身頃上半部２Ｕの側部に亘って帯状に形成されている。前身頃下半部２Ｄとは、図１に示すように、前身頃２の股上長Ｌ２を２等分する直線Ｌ２１より下方に位置する部分であり、前身頃上半部２Ｕとは、同直線Ｌ２１より上方に位置する部分である。
【００２４】
伸長抑制部２１，２２は、前身頃上半部２Ｕ側の端部２１ａ，２２ａが、図１に示すように、パッドホルダー１を、前身頃２と後身頃３の肌対向面同士を面接させて平面状の自然状態としたときにホルダーの側部に生じる折曲線１ａ，１ａに達していることが好ましい。前記端部２１ａ，２２ａは、それぞれ折曲線１ａ，１ａに達していなくても良いが、その場合、折曲線１ａ，１ａまでの最短距離が３０ｍｍ以下、特に１０ｍｍ以下であることが好ましい。
また、伸長抑制部２１，２２は、前身頃下半部２Ｄ側の端部２１ｂ，２２ｂが、図１に示すように、一対のレッグ開口部６，６間の領域４１まで入り込んでいることが好ましく、前身頃２と後身頃３の肌対向面同士を面接させて平面状の自然状態としたときに股下部４に生じる折曲線１ｂに達していることがより好ましい。前記端部２１ｂ，２２ｂは、それぞれ折曲線１ｂに達していなくても良いが、その場合、折曲線１ｂまでの最短距離が５０ｍｍ以下、特に１０ｍｍ以下であることが好ましい。
前身頃下半部２Ｄ及び後身頃下半部３Ｄの下端は、パッドホルダー１を、前身頃２と後身頃３の肌対向面同士を面接させて平面状の自然状態としたときに股下部４に生じる折曲線１ｂの位置である。
【００２５】
一対のレッグ開口部６，６間の領域４１の幅方向距離（自然状態において股下部４に生じる折曲線１ｂ上で両レッグ開口縁部間に相当するパッドホルダーの幅方向に沿う方向（Ｘ方向）の長さ）は、パッドホルダー１および吸収性パッド７の着用者の股間部への密着性向上の観点から、３〜１５ｃｍであることが好ましく、６〜１２ｃｍであることがより好ましい。また、伸長抑制部２１，２２は、前身頃下半部２Ｄにおいて互いに交差しないことが好ましい。
【００２６】
本実施形態のパッドホルダー１においては、前身頃２の左右両側それぞれにおける、伸長抑制部２１又は２２と折曲線１ａとに挟まれた領域（以下、脚部領域ともいう）が、着用者の大腿部を被覆する部分Ａ，Ａであり、該脚部領域Ａ，Ａに、前述した大腿伸縮部２０及び大腿伸長抑制部２３〜２５を有している。
【００２７】
大腿伸長抑制部２３〜２５は、図１に示すように、それぞれ、パッドホルダーの横方向（胴回り方向に沿う方向に相当）に延びて形成されている。また、大腿伸長抑制部２３〜２５は、パッドホルダーの縦方向に間隔を設けて複数本（図示例では３本）形成されている。
肌刺激に敏感な高齢者に対して、より刺激の小さい良好な装着感を提供する観点から、大腿伸長抑制部２３〜２５の、パッドホルダー縦方向の長さは、その上下に位置する大腿伸縮部２０の同方向の長さよりも短いことが好ましい。大腿伸長抑制部２３〜２５の、パッドホルダーの縦方向長さは、パッドホルダー１の横方向外方から内方に向かってその長さを変えても良い。
【００２８】
伸長抑制部２１，２２（後述する背側伸長抑制部３１，３２も同様）は、パッドホルダーの縦方向における最大伸長率が、前身頃又は後身頃の胴回り部分における伸長抑制部を挟んだ両側の少なくとも一方に位置する部分よりも小さくなされている部分、または、パッドホルダーの縦方向において特定荷重を加えたときの伸長率が前身頃又は後身頃の胴回り部分における伸長抑制部を挟んだ両側の少なくとも一方に位置する部分よりも小さくなされている部分である。着脱性や装着感の点からは前者であることが好ましい。
最大伸長率とは、それ以上伸ばせない長さ（材破する直前の長さ）まで伸長したときの伸長率であり、最大伸長率は、下記式（１）で求められる。
最大伸長率（％）＝｛（伸長後の長さ−伸長前の長さ）／伸長前の長さ｝×１００％  ・・・（１）
【００２９】
伸長抑制部２１，２２の最大伸長率は、１８０％未満であることが好ましく、２０〜１５０％がより好ましく、４０〜１２０％が更に好ましい。
前身頃２における、伸長抑制部２１，２２以外の部分（高伸長性部分）、例えば伸長抑制部２１（２２）を挟んでその両側に位置する高伸長性の部分それぞれの最大伸長率（Ｙ方向）は、パッドホルダーの着脱容易性や装着感の点から、１２０％以上であることが好ましく、また、伸長抑制部２１（２２）の最大伸長率との差が、３０％以上、特に５０〜１５０％であることが好ましい。
【００３０】
伸長抑制部２１（２２）の最大伸長率は、伸長抑制部２１（２２）を、パッドホルダーの縦方向（Ｙ方向）に伸長させて測定する。
他方、伸長抑制部２１（２２）以外の高伸長性部分の最大伸長率（Ｙ方向）は、該高伸長性部分を、パッドホルダーの縦方向（Ｙ方向）に伸長させて測定する。
【００３１】
〔伸長抑制部２１（２２）の最大伸長率測定方法〕
測定対象のパッドホルダーから、その縦方向（Ｙ方向）に１００ｍｍ、幅方向（Ｘ方向）に５０ｍｍの寸法の長方形形状で、かつ、測定用サンプルの長手方向（Ｙ方向）中央に少なくとも６０ｍｍの範囲に亘って伸長抑制部２１（２２）が含まれるように切り出し、この切り出された長方形形状を測定用サンプルとする。なお、上記サンプル調整方法は６０ｍｍの範囲全長に亘り連続して伸長抑制部２１（２２）が配置していることを前提としているが、伸長抑制部２１（２２）がその一部で分断されて断続的に高伸長性部分を含んでいる場合もこの範疇に含めるものとする。
この測定サンプルを、その長手方向（Ｙ方向相当）が引っ張り方向となるように、引張試験機のチャックに取り付ける。このとき、上下のチャックのいずれにおいても伸長抑制部２１（２２）が挟まれていることを確認する。チャック間距離は５０ｍｍ（チャック部は測定用サンプルの前後２５ｍｍの部分）とする。測定サンプルを３００ｍｍ／ｍｉｎで引っ張り、測定用サンプルの少なくとも一部が材破した時のチャック間距離を測定する。
ただし、１００Ｎ荷重後も測定用サンプルが材破しない場合は、１００Ｎ荷重時のチャック間距離を測定する。
測定対象のパッドホルダーから上記のようにサンプルが取り出せない場合は、適宜サンプル長さ、サンプル幅、チャック間距離、チャック幅、を変更しても良い。
【００３２】
伸長抑制部２１（２２）以外の部分（縦方向高伸長性部分）の最大伸長率（Ｙ方向）の測定方法は、上記に準じる。但し、測定用サンプルを切り出す際には、測定用サンプル中に伸長抑制部２１（２２）を含まないようにする。ただし、測定用サンプル中に大腿伸長抑制部２３〜２５は含んでもよい。
【００３３】
大腿伸長抑制部２３〜２５は、パッドホルダーの横方向（幅方向ともいう）における最大伸長率が、前記脚部領域Ａ，Ａにおける他の部分（特に大腿伸長抑制部を挟んでその両側に位置する部分）よりも小さくなされている部分、または、パッドホルダーの横方向において特定荷重を加えたときの伸長率が前身頃又は後身頃の胴回り部分における他の部分（特に大腿伸長抑制部を挟んでその両側に位置する部分）よりも小さくなされている部分である。
最大伸長率は、前記式（１）で求められる。
【００３４】
大腿伸長抑制部２３〜２５の最大伸長率は、２００％未満であることが好ましく、５０〜１８０％がより好ましく、７０〜１６０％が更に好ましい。
前記脚部領域Ａにおける、大腿伸長抑制部２３〜２５以外の高伸長性部分、例えば大腿伸長抑制部２３〜２５を挟んでその上下に位置する大腿伸縮部２０，２０・・のそれぞれの最大伸長率（Ｘ方向）は、パッドホルダーの着脱容易性や装着感、吸収パッドの保持性の点から、２００％以上であることが好ましく、また、大腿伸長抑制部２３〜２５の最大伸長率との差が、２０％以上、特に３０〜１３０％であることが好ましい。
また、パッドホルダー１は、自然状態において前記脚部領域Ａの面積の５０％以上、より好ましくは７０％以上が、大腿伸長抑制部２３〜２５よりも伸長性が高い部分、即ち、大腿伸縮部２０，２０・・となっていることが、パッドホルダーの着脱容易性や装着感の点から好ましい。
大腿伸長抑制部２３〜２５の最大伸長率は、大腿伸長抑制部２３〜２５を、パッドホルダーの横方向（Ｘ方向）に伸長させて測定する。
大腿伸長抑制部２３〜２５を挟んでその上下に位置する大腿伸縮部２０，２０・・の最大伸長率（Ｘ方向）は、該大腿伸縮部を、パッドホルダーの横方向（Ｘ方向）に伸長させて測定する。
【００３５】
〔大腿伸長抑制部２３〜２５及び大腿伸縮部２０の最大伸長率測定方法〕
測定対象のパッドホルダーから、その幅方向（Ｘ方向）に１００ｍｍ、長手方向（Ｙ方向）に５０ｍｍの寸法の長方形形状で、かつ、測定用サンプルの長手方向（Ｘ方向相当）中央に、少なくとも一つの大腿伸長抑制部２３〜２５が、少なくとも６０ｍｍの範囲に亘って含まれるように切り出し、この切り出された長方形形状を測定用サンプルとする。なお、上記サンプル調製方法では、６０ｍｍの範囲全長に亘り連続して大腿伸長抑制部２３〜２５が配置していることを前提としているが、大腿伸長抑制部２３〜２５がその一部で分断されて大腿伸縮部２０を含んでいる形態もこの範疇に含めるものとする。
この測定サンプルを、その長手方向（Ｘ方向相当）が引っ張り方向となるように、引張試験機のチャックに取り付ける。このとき、上下のチャックのいずれにおいても大腿伸長抑制部２３〜２５の少なくとも一つが挟まれていることを確認する。チャック間距離は５０ｍｍ（チャック部は測定用サンプルの前後２５ｍｍの部分）とする。測定サンプルを３００ｍｍ／ｍｉｎで引っ張り、測定用サンプルの少なくとも一部が材破した時のチャック間距離を測定する。
【００３６】
ただし、１００Ｎ荷重後も測定用サンプルが材破しない場合は、１００Ｎ荷重時のチャック間距離を測定する。
測定対象のパッドホルダーから上記のようにサンプルが取り出せない場合は、適宜サンプル長さ、サンプル幅、チャック間距離、チャック幅、を変更しても良い。
大腿伸縮部２０の最大伸長率（幅方向）の測定方法は、上記に準じる。但し、測定用サンプルを切り出す際には、測定用サンプル中に大腿伸長抑制部２３〜２５を含まないようにする。ただし、測定用サンプル中に伸長抑制部２１、２２は含んでもよい。
また、大腿伸長抑制部２３〜２５が「パッドホルダーの縦方向において特定荷重を加えたときの伸長率がその周辺部よりも小さくなされている」とは、通常の装着状態において排泄物がパッドに保持された状態を想定し、３Ｎ加重時の伸長率で対比したときに伸長率が小さいことを意味する。測定用サンプルの準備方法及び測定方法は、加重値以外については上記最大伸長率の測定方法に準じて行う。
【００３７】
大腿伸長抑制部２３〜２５の幅は特に制限されないが、例えば図示例のものの幅は０．５〜５ｃｍ程度である。また、伸長抑制部２１，２２は、最もウエスト開口部５寄りの大腿伸長抑制部２３の位置よりウエスト領域側（上側）に延出している。
【００３８】
本実施形態のパッドホルダー１は、図３に示すように、後身頃３に、左右一対の背側伸長抑制部３１，３２を有している。
背側伸長抑制部３１，３２は、それぞれ、後身頃下半部３Ｄの幅方向中央側から後身頃上半部３Ｕの側部に亘って帯状に形成されている。後身頃下半部３Ｄとは、図３に示すように、後身頃３の股上長Ｌ３を２等分する直線Ｌ３１より下方に位置する部分であり、後身頃上半部３Ｕとは、同直線Ｌ３１より上方に位置する部分である。
【００３９】
背側伸長抑制部３１，３２は、後身頃上半部３Ｕ側の端部３１ａ，３２ａが、図３に示すように、パッドホルダー１を、前身頃２と後身頃３の肌対向面同士を面接させて平面状の自然状態としたときにホルダーの側部に生じる折曲線１ａ，１ａに達していることが好ましい。前記端部３１ａ，３２ａは、それぞれ折曲線１ａ，１ａに達していなくても良いが、その場合、折曲線１ａ，１ａまでの最短距離が３０ｍｍ以下、特に１０ｍｍ以下であることが好ましい。
また、背側伸長抑制部３１，３２は、後身頃下半部３Ｄ側の端部３１ｂ，３２ｂが、図３に示すように、一対のレッグ開口部６，６間の領域４１まで入り込んでいることが好ましく、前身頃２と後身頃３の肌対向面同士を面接させて平面状の自然状態としたときに股下部４に生じる折曲線１ｂに達していることがより好ましい。前記端部３１ｂ，３２ｂは、それぞれ折曲線１ｂに達していなくても良いが、その場合、折曲線１ｂまでの最短距離が５０ｍｍ以下、特に１０ｍｍ以下であることが好ましい。
【００４０】
本実施形態のパッドホルダー１において、前身頃２の伸長抑制部２１，２２と後身頃３の背側伸長抑制部３１，３２とは、着用者の側部に配される部位で連接している。これにより、パッドホルダー１を引き上げて装着する際の引き上げ性が一層向上する。また、前身頃２の伸長抑制部２１，２２と背側伸長抑制部３１，３２とは、着用者の股間に配される部位でも実質的に連接されている。これにより、パッドホルダー１を引き上げて装着する際の引き上げ性が一層向上する。
【００４１】
本実施形態のパッドホルダー１は、レッグ開口部６の開口周縁部の前記伸長後応力緩和率が前記特定の範囲内であるため、ホルダーを引き下げる際に、該レッグ開口部の開口周縁部が着用者の脚部、特に大腿部に引っ掛かりにくく、ホルダーの全体を適正な位置まで引き下げるのが容易である。しかも、レッグ開口部６の開口周縁部の前記伸長後応力緩和率が前記特定の範囲内であり、該開口周縁部が、着用者の大腿部を過度に締付けることが無く、かつ、着用者の大腿部に弛みなく沿うため、使用中に開口周縁部がめくれたり、吸収性パッドが外部に露出したりする不都合も防止される。また、吸収性パッドの位置ズレも生じ難い。
【００４２】
また、伸長抑制部２１，２２が上述した態様で形成されていることにより、前身頃及び／又は後身頃の広い範囲に高い伸長性を付与した場合であっても、前身頃上半部の側部付近を手に掴んでパッドホルダーを引き上げたときに、その力が、伸長抑制部２１，２２を介して、直接あるいは間接的に脚廻り部分６３やレッグ開口弾性部６１等に伝わり易い。そのため、レッグ開口部の開口周縁部を含めたホルダーの全体を引き上げるのが一層容易であり、例えば、引っ掛かった部分を手直しする等の労力や時間を軽減して、ホルダー全体を適正位置にまで容易に引き上げることができる。
伸長抑制部２１，２２は、このような効果を得る観点から、少なくとも前身頃上半部２Ｕにおいて互いに交差していないことが好ましい。
【００４３】
また、本実施形態のパッドホルダー１は、前身頃２の脚部領域（前記大腿部を被覆する部分）Ａに、大腿伸縮部２０と大腿伸長抑制部２３〜２５とを上述した態様で有しているため、脚部領域（前記大腿部を被覆する部分）Ａが、大腿伸長抑制部２３〜２５の作用により着用者の肌に弛み無く密着するとともに、大腿伸縮部２０の着用者の肌に対する垂直抗力が、大腿伸長抑制部２３〜２５の垂直抗力に比して小さいために、着脱時のパッドホルダー１と着用者の肌との摩擦力は小さく着脱容易性に優れている。
これにより、脚部領域（前記大腿部を被覆する部分）Ａの肌への密着性と、着脱容易性の両立が可能となる。その結果、トイレ排泄時等の急を要する場合でも容易かつ短時間でパッドホルダーを下ろすことができ、万が一、トイレに間に合わない場合でも、パッド周縁部を大腿伸長抑制部２３〜２５が隙間無く密着させているため衣服を汚すことがない。また、不規則な弛みの発生を抑制することで装着感にも優れ、かつ、外衣に響くことを防止するために着用時のシルエットを悪化させることがない。
【００４４】
本発明において、大腿伸長抑制部は、前身頃２の左右両側にそれぞれ１本のみ設けても良いが、本実施形態におけるように、パッドホルダーの縦方向に間隔を設けて複数本形成されていると、様々な形態の吸収パッドを使用した際にも、吸収パッドの周縁部を確実に肌に密着させるために、吸収パッドの位置ズレが生じ難く、防漏性の観点から好ましい。
【００４５】
大腿伸長抑制部２３〜２５は、前身頃２側の端部２３ａ，２４ａ，２５ａが、伸長抑制部２１，２２に達していることが好ましい。また、大腿伸長抑制部２３〜２５は、折曲線１ａの位置を超えて後身頃側に延出していることが好ましく、大腿伸長抑制部２３〜２５の後身頃３側の端部２３ｂ，２４ｂ，２５ｂが、背側伸長抑制部３１，３２に達していることがより好ましい。
大腿伸長抑制部２３〜２５が、伸長抑制部２１，２２及び／又は背側伸長抑制部３１，３２に達しており、特に伸長抑制部２１，２２から背側伸長抑制部３１，３２に亘るように形成されていると、前身頃又は後身頃上半部の側部付近を手に掴んでパッドホルダーを引き上げたときに、その力が、伸長抑制部２１，２２及び／又は背側伸長抑制部３１，３２を介して、大腿伸長抑制部２３〜２５に伝わり易い。幅方向に延びる大腿伸長抑制部２３〜２５に長手方向の引張力が効率よく伝達されるためにホルダーの全体を引き上げるのが一層容易であり、例えば、引っ掛かった部分を手直しする等の労力や時間を軽減して、ホルダー全体を適正位置にまで容易に引き上げることができる。
本実施形態のパッドホルダー１における大腿伸長抑制部２３〜２５は、何れも、伸長抑制部２１，２２及び背側伸長抑制部３１，３２のそれぞれとＴ字状に連結している。
【００４６】
大腿伸長抑制部２３〜２５は、少なくとも１本以上、好ましくは複数本、より好ましくは全部が、伸長抑制部２１，２２及び／又は背側伸長抑制部３１，３２に達していることが好ましい。
【００４７】
また、本実施形態のパッドホルダー１は、前身頃２の左右の伸長抑制部２１，２２間も伸縮性を有しており、図１に示すように、左右の大腿伸長抑制部２３，２３間に、パッドホルダーの横方向に延びる中央伸長抑制部２３’が形成されている。左右の大腿伸長抑制部２４，２４間、及び左右の大腿伸長抑制部２５，２５間にも、パッドホルダーの横方向に延びる中央伸長抑制部２４’，２５’が形成されている。また、後身頃３の左右の背側伸長抑制部３１，３２間も伸縮性を有しており、図３に示すように、後身頃３側に延出した大腿伸長抑制部２３〜２５間にも、前身頃側と同様の中央伸長抑制部２３”〜２５”が形成されている。’
【００４８】
中央伸長抑制部２３’〜２５’、特に中央伸長抑制部２３’〜２５’及び２３”〜２５”を共に有することにより、様々な形態の吸収パッドに対して、吸収パッドの周縁部に加え中央部をも確実に肌に密着させるために、吸収パッドの位置ズレが生じ難く、防漏性の観点から好ましい。また、伸長抑制部２１，２２及び／又は背側伸長抑制部３１，３２を幅方向両側より挟み込むことにより、伸長抑制部２１，２２及び／又は背側伸長抑制部３１，３２の幅方向への位置ズレを防止できる観点からも好ましい。
【００４９】
また、本実施形態のパッドホルダー１は、図１に示すように、股下部４における左右の伸長抑制部２１，２２間に、パッドホルダーの横方向に延びる前側股下伸長抑制部２６が形成されている。また、後身頃３の左右の背側伸長抑制部３１，３２間も伸縮性を有しており、図３に示すように、股下部４における左右の伸長抑制部２１，２２間に、パッドホルダーの横方向に延びる後側股下伸長抑制部３３が形成されている。
【００５０】
股下伸長抑制部２６、特に前側及び後側股下伸長抑制部２６、３３を共に有することにより、吸収パッドの排尿部近傍部位を確実に着用者の肌に密着させ、防漏性を向上させることができる。
【００５１】
前側股下伸長抑制部２６は、パッドホルダーの横方向（Ｘ方向）において、該伸長抑制部２１，２２と前身頃の端部との間の中央部２６’に達しないように形成されていることが好ましく、図１に示すように、伸長抑制部２１，２２それぞれの位置より外方に延出していないことがより好ましい。
後側股下伸長抑制部３３も、パッドホルダーの横方向（Ｘ方向）において、該背側伸長抑制部３１，３２と後身頃の端部（折曲線１ａの位置に同じ）との間の中央部に達しないように形成されていることが好ましく、図３に示すように、背側伸長抑制部３１，３２それぞれの位置より外方に延出していないことがより好ましい。
前側及び後側股下伸長抑制部２６、３３それぞれが、伸長抑制部２１，２２及び背側伸長抑制部３１，３２それぞれの位置より外方に延出していないことにより、活動時、特に歩行時の動きを阻害しにくくなるので（歩行時の抵抗、違和感が少なく）動作性に優れる。
股下伸長抑制部２６，３３を配置される部位としての股下部４は、前身頃下半部２Ｄ及び後身頃下半部３Ｄそれぞれの下半分である。
【００５２】
なお、本実施形態のパッドホルダー１においては、図２に示すように、パッドホルダー１の着用時に、一対のレッグ開口部６，６の開口周縁部は、股下部４より下方に位置している。一対のレッグ開口部６，６の開口周縁部は、着用者のそけい部に沿うライン（図示せず）よりも下方に位置することが、吸収性パッドの保持性及びホルダーから外部への露出防止の点から好ましい。
【００５３】
本実施形態のパッドホルダー１における伸長抑制部２１，２２は、それぞれ、前身頃下半部２Ｄから前身頃上半部２Ｕの側部にかけての領域における接線Ｌ４（一方のみ図示）と、パッドホルダーの幅方向に延びる直線（例えば前記直線Ｌ２１）とのなす角度α（図１参照）が、前身頃上半部２Ｕの前記側部に近づくに従って漸次減少するように円弧状に形成されている。斯かる構成により、伸長抑制部２１，２２のライン上の一点に集中的に加重や歪みが加わることが防止されるため、伸長抑制部２１，２２が着用者の体型に隙間なくフィットし、装着感が向上する。
【００５４】
本実施形態のパッドホルダー１を形成する伸縮性部材としては、編地、伸縮性不織布等（これらを、伸縮性シートとも言う）を用いることができるが、編地が好ましく、特に糸自体が伸縮性を有すると共に、伸縮性が発現し易い編み方で形成された編地を用いることが好ましい。
本実施形態のパッドホルダー１は、丸編機等により製造された伸縮性に富む円筒状の編地から形成されており、ウエスト開口部及び一対のレッグ開口部の開口周縁部においては、円筒状の編地の端部から所定幅の部分を折り返して縫合することでウエスト開口弾性部５１及びレッグ開口弾性部６１を形成してある。
伸長抑制部２１，２２及び背側伸長抑制部３１，３２は、それらの部分の編地の網目を他の部分より密にすることで最大伸長率を低下させてある。伸長抑制部２１，２２及び背側伸長抑制部３１，３２の他の形成方法としては、例えば、伸縮性に富むシートに、伸長性に劣る帯状のシートを縫合や融着等により接合する方法が挙げられる。
大腿、中央、股下伸長抑制部は、伸長抑制部２１，２２及び背側伸長抑制部３１，３２と同様の方法で形成させることができる。
【００５５】
以上、本発明をその好ましい実施形態に基づき説明したが、本発明は実施形態に制限されない。
例えば、伸長抑制部２１，２２は、全長に亘って円弧状のものに代えて、直線部と円弧状部とを有するものや、角度をなして連接された２本又は３本以上の直線部からなるもの等を設けることもできる。背側伸長抑制部３１，３２も、伸長抑制部２１，２２と同様の形状に形成することもできる。
また、伸長抑制部２１，２２、背側伸長抑制部３１，３２、大腿伸長抑制部２３〜２５、中央伸長抑制部２３’〜２５’、２３”〜２５”、前側股下伸長抑制部２６及び後側股下伸長抑制部３３は、一部又は全部を省略することもできる。
【００５６】
また、上述したパッドホルダー１においては、大腿伸長抑制部２３〜２５が、左右両側に３本ずつであったが、それぞれ１本、２本、又は４本以上（例えば４本〜８本）であっても良い。ただし、２〜７本が密着性と着脱容易性の観点から好ましく、２〜５本がより好ましい。また、大腿伸長抑制部の幅は、０．５〜５ｃｍが密着性と着脱容易性の観点から好ましく、０．５〜２ｃｍが好ましい。
中央伸長抑制部２３’〜２５’、２３”〜２５”についても同様である。また、１本又は複数本の大腿伸長抑制部２３〜２５を、伸長抑制部２１，２２間（本体部分Ｂ）に延出させることもできる。
【実施例】
【００５７】
以下、本発明を実施例により更に具体的に説明するが、本発明は、斯かる実施例によって何ら制限されるものではない。
〔実施例１〕
図１，図３及び図４に示す形態の成人用パッドホルダーを製造した。
レッグ開口部の開口周縁部（鹿の子編み（平編みとタック編みを交互に行う編み方））の前記伸長後応力緩和率は４２％であった。
〔実施例２〕
実施例１のパッドホルダーにおけるレッグ開口弾性部６１を形成する部分の編み方を鹿の子編みから平編みのみに代えることにより、前記伸長後応力緩和率が３７％のパッドホルダーを製造した。
〔比較例１〜３〕
ボクサーブリーフ型の市販のパッドホルダーについて、前記伸長後応力緩和率を測定したところ、比較例１：２３％、比較例２：２７％、比較例３：２７％であった。
【００５８】
〔評価〕
実施例１，２及び比較例１〜３のパッドホルダーの「引き下げ易さ」、「装着感」、「めくれの有無」について、下記の評価試験を行い、試験結果を下記評価基準で評価した。その結果を表１に示した。
【００５９】
〔試験方法〕
成人１０名に実施例及び比較例の各パッドホルダーを装着してもらい、以下の基準でレッグ開口部の開口周縁部の「引き下げ易さ」、「装着感」、「めくれの有無」を評価してもらった。表１には、１０名中、○と回答した人数を示した。
【００６０】
〔評価基準〕
・「引き下げ易さ」
○；容易に引き下げられた
△；どちらともいえない
×；引き下げに手間取った
・「装着感」
○；よい
△；どちらともいえない
×；よくない
・「めくれの有無」
○；有
×；無
【００６１】
【表１】
2011092601.tif 000003
【００６２】
以上の結果から、レッグ開口部の開口周縁部の８０％伸長１０分後の応力緩和率が、所定の数値範囲を満たす場合において、優れた引下げ容易性、装着感、めくれ防止性を満たすことができる。
【符号の説明】
【００６３】
１  パッドホルダー
２  前身頃
２１，２２  伸長抑制部
２３〜２５  大腿伸長抑制部
２３’〜２５’  中央伸長抑制部
２６  前側股下伸長抑制部
２Ｕ  前身頃上半部
２Ｄ  前身頃下半部
Ｌ２  前身頃の股上長
３  後身頃
３１，３２  背側伸長抑制部
３３  後側股下伸長抑制部
３Ｕ  後身頃上半部
３Ｄ  前身頃下半部
Ｌ３  後身頃の股上長
４  股下部
５  ウエスト開口部
６  レッグ開口部
６３  脚廻り部分
７  吸収性パッド
【図１】
2011092601.tif 000004
【図２】
2011092601.tif 000005
【図３】
2011092601.tif 000006
【図４】
2011092601.tif 000007
【図５】
2011092601.tif 000008